(57)【要約】【課題】把持リングを利用することで強度のある膨出部を形成して確実に電線を保持でき、複数回の電線の出し入れにも耐えられ、電線を配線するのに必要な保持具を別途設ける必要がない蛍光灯ホルダを提供すること。【解決手段】把持リング６に蛍光灯３を把持して取り付けるようにした蛍光灯ホルダ５であって、取付首部８と所定距離離れた位置の把持リング６の外周に膨出部１１を設けることにより、取付首部８、把持リング６、膨出部１１、取付体４、そして棚板２’の間に電線１７の保持スペース１８を形成したことを特徴としている。【選択図】  図５
2004171914.tif 000002
【特許請求の範囲】
【請求項１】
把持リングに蛍光灯を把持して取り付けるようにした蛍光灯ホルダであって、取付首部と所定距離離れた位置の把持リングの外周に膨出部を形成し、該膨出部で電線を保持できるようにしたことを特徴とする蛍光灯ホルダ。
【請求項２】
前記把持リングの所定範囲を外周に膨出させ、該把持リングの膨出部の外周面を平滑な膨出面とした請求項１に記載の蛍光灯ホルダ。
【請求項３】
前記把持リングの一部を外方に屈曲して膨出部を形成した請求項１または２に記載の蛍光灯ホルダ。
【請求項４】
前記蛍光灯ホルダの取付首部が取付体に固定された際に、少なくとも前記取付首部、把持リング、膨出部、そして取付体の間で、電線を安定的に保持できる保持スペースを形成できるようにした１ないし３のいずれかに記載の蛍光灯ホルダ。
【請求項５】
棚板の下方にあり斜め下方を向く取付体に、前記膨出部が上方向を向くように前記蛍光灯ホルダを固定し、取付首部、把持リング、膨出部、取付体、そして棚板の間に電線の保持スペースを形成した請求項４に記載の蛍光灯ホルダ。
【発明の詳細な説明】
【０００１】
【発明の属する技術分野】
本発明は、蛍光灯を取り付けるための蛍光灯ホルダに関する。
【０００２】
【従来の技術】
従来、スーパーマーケットなどで使用されるショーケース等において、商品棚などの取付体に蛍光灯を取り付ける際には、蛍光灯ホルダが使用され、蛍光灯へ繋がる電線を固定するためには、蛍光灯ホルダの近くに電線用の保持具を別途設け、この保持具によって蛍光灯に沿って配線される電線を保持したり、テープ等で電線を仮留めするものが主流であった。
【０００３】
そこで蛍光灯ホルダの取付体の表面に係止するためのバネ板を延設して、それを湾曲させ電線を保持できるようにした、蛍光灯ホルダと電線用の保持具を一体に設けた蛍光灯ホルダがある。（例えば、特許文献１参照）
【０００４】
【特許文献１】
特開平９−２５１８０９号公報（段落００１１、第３図）
【０００５】
【発明が解決しようとしている課題】
しかしながら、文献１にあっては、保持部が蛍光灯ホルダと一体になったバネ板の一部であり、もっぱら蛍光灯ホルダを取付体との固定のために利用されている取付板を付勢するバネ板であって、その構造自体が強度を持たないものである。従ってバネ板の一部を使った保持部は、複数回の利用によって破損しやすいものである。
【０００６】
本発明は、このような問題点に着目してなされたもので、把持リングを利用することで強度のある膨出部を形成して確実に電線を保持でき、複数回の電線の出し入れにも耐えられ、電線を配線するのに必要な保持具を別途設ける必要がない蛍光灯ホルダを提供することを目的とする。
【０００７】
【課題を解決するための手段】
上記の目的を解決するために、本発明の蛍光灯ホルダは、把持リングに蛍光灯を把持して取り付けるようにした蛍光灯ホルダであって、取付首部と所定距離離れた位置の把持リングの外周に膨出部を形成し、該膨出部で電線を保持できるようにしたことを特徴としている。
この特徴によれば、把持リングに膨出部を設けることで、電線の保持が可能になり、別途電線を固定する保持具を用意する必要がなく、部品点数を省略できるのでコストダウンが期待でき、また、蛍光灯ホルダの強度のある把持リングを利用したことで、強度のある膨出部を形成できるので、複数回の電線の出し入れによる膨出部の破損にも絶えることができるようになる。
【０００８】
本発明の蛍光灯ホルダは、前記把持リングの所定範囲を外周に膨出させ、該把持リングの膨出部の外周面を平滑な膨出面とすることが好ましい。
このようにすれば、平滑な膨出面を形成したことで、膨出面上で電線を滑らせることができるので、容易に電線を挿入できるようになる。
【０００９】
本発明の蛍光灯ホルダは、前記把持リングの一部を外方に屈曲して膨出部を形成することが好ましい。
このようにすれば、蛍光灯を把持リングに把持した際に、加熱量の最も多い蛍光灯の端部が膨出部に当接しないので、電線への熱影響を少なくできるようになる。
【００１０】
本発明の蛍光灯ホルダは、前記蛍光灯ホルダの取付首部が取付体に固定された際に、少なくとも前記取付首部、把持リング、膨出部、そして取付体の間で、電線を安定的に保持できる保持スペースを形成することが好ましい。
このようにすれば、蛍光灯ホルダを取付体に取り付けた状態において、取付首部、把持リング、膨出部、そして取付体との間に電線の保持スペースを形成して電線を保持できるようになり、更に蛍光灯によって電線を隠蔽することができるとともに、電線の脱落も防止できるようになる。
【００１１】
本発明の蛍光灯ホルダは、棚板の下方にあり斜め下方を向く取付体に、前記膨出部が上方向を向くように前記蛍光灯ホルダを固定し、取付首部、把持リング、膨出部、取付体、そして棚板の間に電線の保持スペースを形成することが好ましい。
このようにすれば、蛍光灯ホルダを取付体に取り付けた状態において、取付首部、把持リング、膨出部、取付体、そして棚板との間に電線の保持スペースを形成して電線を保持できるようになり、把持リングに蛍光灯を取付時には、把持リングが外側に広がり、膨出部が棚板側に押圧されるので、膨出部と棚板との隙間が狭くなり、挿入した電線が抜けにくくなり、確実に電線を保持できるようになる。
【００１２】
【発明の実施形態】
以下、本発明の実施例を図面に基づいて説明する。
【００１３】
図１〜図２により本発明の実施形態に係る蛍光灯ホルダの取付体への取付構造の構成について説明する。
【００１４】
先ず、図１に示すのは、本発明の実施例としての蛍光灯ホルダが取り付けられた、ショーケースの全体像を示す側断面図である。１はショーケース、２は商品を陳列する商品棚であり、この商品棚２の下面には、下段の商品を照らすための蛍光灯３が設けられており、この蛍光灯３を商品棚２の下面にある取付体４に把持するために蛍光灯ホルダ５が取り付けられている。
【００１５】
図２（ａ）は、蛍光灯ホルダ５と、板状の取付体４の斜視図である。６は蛍光灯３を把持するための把持リング６であり、この把持リング６は、一部に開口部７を有する切欠円状をしている。把持リング６は弾性を有する合成樹脂等の材質で作られており、その開口部７から蛍光灯３を押し込むと、把持リング６は左右に開き、開口部７を蛍光灯３の太さまで広げ、蛍光灯３を把持リング６内に収めることができるようになっている。
【００１６】
把持リング６の外周上部には、取付首部８が設けられており、取付首部８の根元の左右両側には、付勢手段としての弾性のあるバネ板９が把持リング６より突設しており、蛍光灯ホルダ５は、把持リング６と取付首部８、そしてバネ板９が一体構造となっている。
【００１７】
把持リング６には、把持リング６の所定範囲を外周側に膨出させた膨出部１１が設けられており、膨出面１２と係止片１３で形成されている。より詳しく説明すると、膨出部１１は、把持リング６の一部を外方に突出するように屈曲して形成されており、このように膨出部１１が、把持リング６の屈曲で形成されているため、膨出部１１が蛍光灯３に当接しない部分が存在することになり、後述するように把持リング６が蛍光灯３に接する面積を少なくでき、長期間使用した際の蛍光灯３の発熱による把持リング６の歪みや変形を少なくすることができるようになる。また、１０は、板状の取付体４に穿設された取付孔であり、この取付孔１０は、この実施例では長円形状をした長孔である。
【００１８】
更に、図２（ｂ）に示すように膨出部１１の膨出面１２は、把持リング６の外周面が描く円形とほぼ同心円の曲線を描いて形成されている。
【００１９】
また、取付首部８は、係止部１４、係合部１５、回転部１６の三つの部位で構成されており、最上方に係止部１４があり、その断面は取付体４に設けられた取付孔１０にほぼ補形をなす長円形である。係合部１５は、係止部１４と回転部１６の間に設けられており、その断面は四角形をなし、約９０度の回転で取付孔１０の内周に係合することができる。更に回転部１６は、把持リング６の外周面に接合する部位であり、把持リング６に近づくに従い、その外形が小さくなっていく略錐体形状をしている。
【００２０】
次に図３〜図５により本発明の実施形態に係る蛍光灯ホルダ５の取付構造の取付作業について説明する。
【００２１】
図３は、本発明の使用例を示す斜視図であり、蛍光灯ホルダ５の取付首部８を、板状をした取付体４に穿設された長円形の取付孔１０に一方向から挿入した際には、バネ板９は取付体４に当接し、その弾性により変形するので、取付首部８を根元まで挿入することができるようになる。この状態で取付孔１０内に回転部１６が位置するため、蛍光灯ホルダ５を容易に回転させることができるようになる。
【００２２】
更に、蛍光灯ホルダ５を約９０度回転させて手を離すと、バネ板９は、その弾性により取付体４を把持リング６から引き離すように押圧し、取付首部８は、挿入した方向とは、逆の方向に付勢されるようになり、取付孔１０に係止部１４が当接し、取付首部８は、取付孔１０から抜けることがなく固定され、取付後は、係合部１５が取付孔１０の内周に係合し、蛍光灯ホルダ５の回転を制止することができる。
【００２３】
図４（ａ）に示したのは、商品棚２に蛍光灯ホルダ５を取付時の側面図であり、２は商品棚を拡大した側断面図であり、２’は棚板であり、棚板２’の下面側には、取付体４が設けられており、この取付体４は、棚板２’に対して傾斜面を形成しており、取付体４の傾斜面には、長孔をした取付孔１０が穿設されている。
【００２４】
蛍光灯ホルダ５の取付首部８は、この取付体４の傾斜面に向かって、斜め下方より取付孔１０に挿入され、その後、約９０度回転させてから手を離すと取付首部８が取付孔１０に固定される。
【００２５】
図４（ｂ）は、蛍光灯ホルダ５の取付後に電線１７を保持するときの装置の側面図であり、蛍光灯ホルダ５の把持リング６の棚板２’に向く側には、膨出部１１が形成されているので、取付首部８、把持リング６、膨出部１１、取付体４そして棚板２’の間に保持スペース１８を形成することができるようになる。
【００２６】
電線１７を保持スペース１８に保持する際には、電線１７を膨出面１２の上を滑らせるようにして、棚板２’との間を通過させ保持スペース１８内に挿入することができる。
【００２７】
保持スペース１８内に挿入された電線１７は、把持リング６に形成された膨出部１１の係止片１３により、外側に向かって滑り落ちるのを防止できるので確実に保持スペース１８内に保持されることになる。
【００２８】
また、把持リング６は蛍光灯を出し入れしても破損しない強度を有しており、この強度のある把持リング６を利用して係止片１３が形成されているため、電線１７の挿入や取り外しを複数回行っても、係止片１３が破損しずらくなり、長期間の使用に耐えることができるようになる。
【００２９】
図５に示したのは、蛍光灯ホルダ５に蛍光灯３を把持させたときの側面図であり、開口部７より蛍光灯３が把持リング６内に挿入された際、蛍光灯３の外径は、把持リング６の内径より若干大きいので、把持リング６はその弾性により、外側に向かって広がることになり、膨出部１１が棚板２’に向かって垂直方向に押し上げられ、膨出部１１と棚板２’との隙間が狭くなり、保持スペース１８内に保持された電線１７が抜け落ちるのを防止でき、且つ電線１７を蛍光灯３によって隠蔽することができるようになる。
【００３０】
また、把持リング６の一部を外方に屈曲させて膨出部１１を形成しているので、蛍光灯３の加熱量の最も多い端部を把持した際には、膨出部１１が蛍光灯３より離間されているために把持リング６に伝わる熱量を減らすことができ、電線１７への熱影響を少なくできるようになる。更に、膨出部１１の内側と蛍光灯３の間に空間ができるので、例えば図５の二点鎖線で示すように、断熱性を有する電線１７’を使用することで、膨出部１１の内側に電線１７’を保持させることができるようになる。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
例えば、膨出部が図６に示した膨出部１１’のような形状をしていても電線１７の保持スペース１８を形成することができるので、上記実施例と同様な効果を得ることができるようになる。
【００３３】
【発明の効果】
本発明は以下の効果を奏する。
【００３４】
（ａ）請求項１に記載の発明によれば、把持リングに膨出部を設けることで、電線の保持が可能になり、別途電線を固定する保持具を用意する必要がなく、部品点数を省略できるのでコストダウンが期待でき、また、蛍光灯ホルダの強度のある把持リングを利用したことで、強度のある膨出部を形成できるので、複数回の電線の出し入れによる膨出部の破損にも絶えることができるようになる。
【００３５】
（ｂ）請求項２に記載の発明によれば、平滑な膨出面を形成したことで、膨出面上で電線を滑らせることができるので、容易に電線を挿入できるようになる。
【００３６】
（ｃ）請求項３に記載の発明によれば、蛍光灯を把持リングに把持した際に、加熱量の最も多い蛍光灯の端部が膨出部に当接しないので、電線への熱影響を少なくできるようになる。
【００３７】
（ｄ）請求項４に記載の発明によれば、蛍光灯ホルダを取付体に取り付けた状態において、取付首部、把持リング、膨出部、そして取付体との間に電線の保持スペースを形成して電線を保持できるようになり、更に蛍光灯によって電線を隠蔽することができるとともに、電線の脱落も防止できるようになる。
【００３８】
（ｅ）請求項５に記載の発明によれば、蛍光灯ホルダを取付体に取り付けた状態において、取付首部、把持リング、膨出部、取付体、そして棚板との間に電線の保持スペースを形成して電線を保持できるようになり、把持リングに蛍光灯を取付時には、把持リングが外側に広がり、膨出部が棚板側に押圧されるので、膨出部と棚板との隙間が狭くなり、挿入した電線が抜けにくくなり、確実に電線を保持できるようになる。
【図面の簡単な説明】
【図１】本発明の蛍光灯ホルダを取り付けられた、ショーケースの全体像を示す側断面図である。
【図２】（ａ）は、蛍光灯ホルダと、板状の取付体の斜視図であり、（ｂ）は、蛍光灯ホルダの側面図である。
【図３】取付体に蛍光灯ホルダを取付時の斜視図である。
【図４】（ａ）は、取付体に蛍光灯ホルダを取付時の側面図、（ｂ）は蛍光灯ホルダを取付後に電線を保持スペースに挿入時の側面図である。
【図５】蛍光灯ホルダに蛍光灯を把持した時の側面図である。
【図６】突起状の膨出部を形成した蛍光灯ホルダの側面図である。
【符号の説明】
１          ショーケース
２          商品棚
２’        棚板
３          蛍光灯
４          取付体
５          蛍光灯ホルダ
６          把持リング
７          開口部
８          取付首部
９          バネ板
１０        取付孔
１１        膨出部
１１’      膨出部
１２        膨出面
１３        係止片
１４        係止部
１５        係合部
１６        回転部
１７        電線
１７’      電線
１８        保持スペース
【図１】
2004171914.tif 000003
【図２】
2004171914.tif 000004
【図３】
2004171914.tif 000005
【図４】
2004171914.tif 000006
【図５】
2004171914.tif 000007
【図６】
2004171914.tif 000008